(57)【特許請求の範囲】
【請求項１】
上流側から導水される導水路と、前記導水路の下流側に形成されるスリット状の吐出口と、を有する装置本体と、
前記吐出口から膜状水が吐き出される吐出範囲を該吐出口の横幅方向に調整可能な吐出範囲調整構造と、
前記膜状水の吐出範囲を検出する吐出範囲検出部と、
前記吐出範囲検出部の検出結果に応じて、前記導水路へ送水するポンプの出力を制御するポンプ制御部と、を備えることを特徴とする吐水装置。
【請求項２】
前記吐出範囲調整構造は、前記吐出口から単数の膜状水を吐き出す吐水パターンと、前記吐出口の横幅方向の複数箇所から膜状水を吐き出す吐水パターンとに、前記膜状水の吐出範囲を調整可能であることを特徴とする請求項１に記載の吐水装置。
【請求項３】
前記吐出範囲調整構造は、前記膜状水の側部の形状を調整可能であることを特徴とする請求項１または２に記載の吐水装置。
【請求項４】
前記吐出範囲調整構造は、
前記装置本体に回動可能に取り付けられる回動軸部と、
前記導水路内にて前記回動軸部から延在する堰部と、を含む第１流れ規制体を有することを特徴とする請求項１から３のいずれかに記載の吐水装置。
【請求項５】
前記吐出範囲調整構造は、前記吐出口を横幅方向の一部の範囲で塞ぐ第２流れ規制体を有することを特徴とする請求項１から４のいずれかに記載の吐水装置。
【請求項６】
前記第２流れ規制体は、前記吐出口から前記導水路内に抜き差し可能に差し込まれ、該導水路を横幅方向の一部の範囲で塞ぐ差込部を有することを特徴とする請求項５に記載の吐水装置。
【請求項７】
前記第２流れ規制体は、前記装置本体に形成される被係合部と係合可能な係合部を有し、前記係合部と前記被係合部との係合により、前記装置本体に対する位置を保持可能であることを請求項５または６に記載の吐水装置。
【請求項８】
前記第２流れ規制体は、前記吐出口の横幅方向にスライド可能に設けられることを特徴とする請求項５から７のいずれかに記載の吐水装置。
【請求項９】
前記吐出範囲調整構造は、前記導水路の一部を画定する面を該導水路の高さを狭める方向に変位可能な第３流れ規制体を有することを特徴とする請求項１から８のいずれかに記載の吐水装置。
【請求項１０】
前記導水路は、下流側から上流側に向かう途中箇所で分岐する複数の分岐通路を有し、
前記吐出範囲調整構造は、前記複数の分岐通路のそれぞれに対応して設けられ、該分岐通路を開閉する複数の開閉弁を有することを特徴とする請求項１から９のいずれかに記載の吐水装置。
【請求項１１】
前記吐出範囲調整構造を駆動するモータと、
前記膜状水の吐き出し先にいるユーザの体格寸法を検出するセンサと、
前記センサの検出結果に応じて、前記モータを制御することにより、前記吐出範囲調整構造を用いて前記吐出範囲を調整する吐出範囲制御部と、を備えることを特徴とする請求項１から１０のいずれかに記載の吐水装置。
【請求項１２】
請求項１〜１１のいずれかに記載の吐水装置と、
前記吐水装置が設置される浴槽と、を備えることを特徴とする浴槽装置。
【発明の詳細な説明】
【技術分野】
【０００１】
本発明は、膜状水を吐き出すための吐水装置とこれを備える浴槽装置に関する。
【背景技術】
【０００２】
浴室には、入浴者の肩や首に湯水を吐き出すことによりマッサージ効果を与えられる吐水装置が設置されることがある。近年、この種の吐水装置として、吐出口を横長なスリット状に形成し、吐出口から幅広な膜状水を吐き出せるようにしたものが提案されている。膜状水が滝状に流れ落ちる様子は美観にも優れる。
【先行技術文献】
【特許文献】
【０００３】
【特許文献１】実用新案登録第２５６３９２７号
【発明の概要】
【発明が解決しようとする課題】
【０００４】
ところで、従来の吐水装置から吐き出される膜状水は形状がほぼ一定であり、外観上の変化に乏しい。膜状水の美観を更に楽しめるようにするうえでは、ユーザの気分に合わせて膜状水の形状を調整できるとよい。
【０００５】
膜状水の形状を調整するための技術ではないが、特許文献１では、吐水流の形状を調整できる吐水装置が提案されている。この吐水装置では、吐水管が回動可能に給水管に連結され、吐水管の内部が複数の通路に仕切られている。吐水管の外周部には各通路毎に異なる形状の吐出口が形成され、吐水管の回動操作により、何れかの吐出口から異なる形状の吐水流を吐き出すようにしている。
【０００６】
しかしながら、特許文献１の吐水装置では、吐水流の形状を調整するうえで複数の吐出口が必要となる。これに加えて、その吐出口に連なる通路も吐出口の数だけ必要となり、装置全体が大型化し易いという問題点がある。
【０００７】
本発明は、このような課題に鑑みてなされ、その目的は、膜状水の形状を調整するうえで必要な吐出口の数を抑えられる吐水装置を提供することにある。
【課題を解決するための手段】
【０００８】
上記課題を解決するために、本発明のある態様の吐水装置は、上流側から導水される導水路と、導水路の下流側に形成されるスリット状の吐出口と、を有する装置本体と、吐出口から膜状水が吐き出される吐出範囲を吐出口の横幅方向に調整可能な吐出範囲調整構造と、を備える。
この態様によれば、膜状水の吐出範囲の調整により膜状水の形状を調整できるため、膜状水を調整するうえで複数の吐出口が必要とならず、吐出口の数を抑えられる。
【０００９】
前述の態様において、吐出範囲調整構造は、吐出口から単数の膜状水を吐き出す吐水パターンと、吐出口の横幅方向の複数箇所から膜状水を吐き出す吐水パターンとに、膜状水の吐出範囲を調整可能であってもよい。
この態様によれば、ユーザの気分や温まり状態に合わせて膜状水の吐水パターンを多彩に調整できる。
【００１０】
前述の態様において、吐出範囲調整構造は、膜状水の側部の形状を調整可能であってもよい。
この態様によれば、ユーザの気分に合わせて更に多彩な膜状水の形状に調整できる。
【００１１】
前述の態様において、吐出範囲調整構造は、装置本体に回動可能に取り付けられる回動軸部と、導水路内にて回動軸部から一方向に延在する堰部と、を含む第１流れ規制体を有してもよい。
この態様によれば、回動軸部の回動量の調整により、膜状水の吐出範囲を調整可能となる。
【００１２】
前述の態様において、吐出範囲調整構造は、吐出口を横幅方向の一部の範囲で塞ぐ第２流れ規制体を有してもよい。
この態様によれば、吐出口の一部を塞ぐことにより、膜状水の吐出範囲を調整できる。
【００１３】
前述の態様において、第２流れ規制体は、吐出口から導水路内に抜き差し可能に差し込まれ、導水路を横幅方向の一部の範囲で塞ぐ差込部を有してもよい。
この態様によれば、膜状水の吐出範囲を調整するうえで、吐出口から第２流れ規制体の差込部を差し込むだけでよいため、ユーザが簡単に膜状水の形状を調整できる。
【００１４】
前述の態様において、第２流れ規制体は、装置本体に形成される被係合部と係合可能な係合部を有し、係合部と被係合部との係合により、装置本体に対する位置を保持可能でもよい。
この態様によれば、吐出口から外側に離れる方向に水圧が作用した場合でも、第２流れ規制体の位置を保持し易くなる。
【００１５】
前述の態様において、第２流れ規制体は、吐出口の横幅方向にスライド可能に設けられてもよい。
この態様によれば、第２流れ規制体をスライドさせるだけで簡単に膜状水の吐出範囲を調整できる。
【００１６】
前述の態様において、吐出範囲調整構造は、導水路の一部を画定する面を導水路の高さを狭める方向に変位可能な第３流れ規制体を有してもよい。
この態様によれば、導水路の一部を画定する面の変位により導水路の一部を塞ぐことで、膜状水の吐出範囲を調整可能となる。
【００１７】
前述の態様において、導水路は、下流側から上流側に向かう途中箇所で分岐する複数の分岐通路を有し、吐出範囲調整構造は、複数の分岐通路のそれぞれに対応して設けられ、分岐通路を開閉する複数の開閉弁を有してもよい。
この態様によれば、開閉弁の開閉により、膜状水の吐出範囲を調整可能となる。
【００１８】
前述の態様において、吐出範囲調整構造を駆動するモータと、膜状水の吐き出し先にいるユーザの体格寸法を検出するセンサと、センサの検出結果に応じて、モータを制御することにより、吐出範囲調整構造を用いて吐出範囲を調整する吐出範囲制御部と、を備えてもよい。
この態様によれば、ユーザの体格に応じて膜状水の形状を自動で調整できる。
【００１９】
前述の態様において、膜状水の吐出範囲を検出する吐出範囲検出部と、吐出範囲検出部の検出結果に応じて、導水路へ送水するポンプの出力を制御するポンプ制御部と、を備えてもよい。
この態様によれば、膜状水の吐出範囲に応じてポンプの出力を制御することで、膜状水の流速を調整できる。
【００２０】
本発明の別の態様は浴槽装置である。この浴槽装置は、前述の吐水装置と、吐水装置が取り付けられる浴槽と、を備える。
【発明の効果】
【００２１】
本発明によれば、膜状水の形状を調整するうえで必要な吐出口の数を抑えられる。
【図面の簡単な説明】
【００２２】
【図１】第１実施形態に係る吐水装置が用いられる浴槽装置を概略的に示す図である。
【図２】図２（ａ）は第１実施形態に係る吐水装置の平面図であり、図２（ｂ）はその正面図である。
【図３】第１実施形態に係る吐水装置の側面断面図である。
【図４】第１実施形態に係る吐水装置の内部構造を示す平面図である。
【図５】第１実施形態に係る吐水装置の使用方法を説明するための図である。
【図６】第２実施形態に係る吐水装置の側面断面図である。
【図７】図７（ａ）は第２実施形態に係る吐水装置の平面図であり、図７（ｂ）はその正面図である。
【図８】第２実施形態に係る吐水装置の使用方法を説明するための図である。
【図９】第３実施形態に係る吐水装置を示す側面断面図である。
【図１０】第３実施形態に係る第３流れ規制体を拡大した側面断面図である。
【図１１】第３実施形態に係る吐水装置の平面図である。
【図１２】第３実施形態に係る吐水装置の使用方法を説明するための図である。
【図１３】図１３（ａ）は第４実施形態に係る吐水装置の内部構造を示す平面図であり、図１３（ｂ）はその正面図である。
【図１４】第４実施形態に係る吐水装置の使用方法を説明するための図である。
【図１５】第５実施形態に係る吐水装置を概略的に示す平面図である。
【図１６】第５実施形態に係る吐水装置の制御系に関する機能ブロック図である。
【図１７】第５実施形態に係る吐水装置の作用効果を説明するための図である。
【図１８】第６実施形態に係る吐水装置の制御系に関する機能ブロック図である。
【図１９】第６実施形態に係る吐水装置の平面図である。
【発明を実施するための形態】
【００２３】
以下、各実施形態では、同一の構成要素に同一の符号を付し、重複する説明を省略する。また、各図面では、説明を簡単にするため、構成要素の一部を適宜省略して示す。
【００２４】
［第１の実施の形態］
図１は第１実施形態に係る吐水装置１０が用いられる浴槽装置１２を概略的に示す図である。
浴槽装置１２は、吐水装置１０の他に、浴槽１４を備える。浴槽１４の内側面には底面１６に対して傾斜する背側面１８が設けられ、背側面１８の上側にはフランジ部２０が設けられる。
【００２５】
吐水装置１０の装置本体２４は、フランジ部２０の上面部２２に取り付けられる。装置本体２４は、上流側のポンプ２５から内部に導水される導水路２８と、導水路２８の下流側に形成される横長なスリット状の吐出口３０と、を有する。ポンプ２５は、浴槽１４内から汲み上げた浴槽水Ｗ１を導水路２８に送水する。導水路２８内に導水されると、後述のように、吐出口３０から膜状水Ｗ２が吐き出される。ユーザＵは浴槽１４の背側面１８に背中を当ててもたれた状態で入浴し、膜状水Ｗ２はユーザＵの肩や首に背中側からかけられ、リラックス感を与えられる。なお、膜状水Ｗ２は温水としての浴槽水Ｗ１が用いられるが、冷水でもよいし、浴槽水Ｗ１以外の上水等が用いられてもよい。
【００２６】
図２（ａ）は吐水装置１０の平面図であり、図２（ｂ）は吐水装置１０の正面図であり、図３は吐水装置１０の側面断面図である。
装置本体２４は、フランジ部２０の上面部２２上に載せられる横長扁平な吐水部２６を有する。吐水部２６には、浴槽１４の内側に臨む位置に吐出口３０が形成される。以下、吐出口３０の横幅方向を方向Ｘ、吐出口３０の高さ方向を方向Ｚ、ＸＺ面と直交する方向を前後方向Ｙとする。
【００２７】
吐水部２６の内部には、図３に示すように、吐出口３０に連なる吐出通路３２が形成される。吐出通路３２は導水路２８の一部を構成する。吐出通路３２は、その横断面（図示しない）が通路高さより通路幅が大きくなるように横長に形成される。吐出通路３２は、下流側に形成される絞り通路３４と、上流側に形成される貯溜通路３６とを有する。絞り通路３４は貯溜通路３６より通路高さが小さくなるように形成される。なお、吐水部２６は、下側分割部材３８と上側分割部材４０をねじ等の固定具（図示せず）により組み付けて構成される。
【００２８】
吐水部２６の下部には、下方に突き出る流入部４２が横幅方向Ｘに複数設けられる。各流入部４２は浴槽１４のフランジ部２０を挿通される。各流入部４２の先端部にはポンプ２５から送水するための送水管４４が接続される。流入部４２の内部には流入路４６が形成され、流入路４６は導水路２８の一部を構成する。
【００２９】
以上の装置本体２４では、ポンプ２５から送水管４４を通して送られる水が流入路４６に流入する。流入した水は流入路４６の出口４６ａから吐出通路３２の貯溜通路３６に流出し、貯溜通路３６内で貯溜水として一時的に貯められる。貯溜通路３６内に貯溜水が溜められた状態で更に水が流出すると、貯溜通路３６内の貯溜水が加圧され、その水圧により絞り通路３４に流出する。貯溜水は絞り通路３４を通るときに絞られることで流速が高まり、吐出口３０から勢いよく横長な膜状水Ｗ２が吐き出される。このとき、貯溜通路３６内で一時的に貯められてから絞り通路３４に流出するため、流入路４６から流出したときの水勢が貯溜通路３６内で失われ、吐出通路３２の横幅方向Ｘで流速が均一となるように整流される。
【００３０】
図４は吐水装置１０の内部構造を示す平面図である。本図は吐水装置１０の吐出通路３２を示す平面図でもある。
吐水装置１０は、装置本体２４に取り付けられる堰部材として第１流れ規制体４８を更に備える。第１流れ規制体４８は、吐出通路３２の貯溜通路３６内にて横幅方向Ｘに複数配置される。複数の第１流れ規制体４８は、貯溜通路３６に開口する流入路４６の出口４６ａを挟んだ横幅方向Ｘ両側に配置される。以下、複数の第１流れ規制体４８について、横幅方向Ｘの両端位置に配置されるものと、中間位置に配置されるものとは、それぞれの符号の末尾に「Ａ」「Ｂ」を付して区別する。
【００３１】
第１流れ規制体４８は、装置本体２４に高さ方向Ｚ軸周りに回動可能に取り付けられる回動軸部５０と、吐出通路３２内にて回動軸部５０から一方向に延在する板状の堰部５２と、を有する。堰部５２は、回動軸部５０を回動させると一体に回動し、吐出通路３２内に位置調整可能に設けられる。
【００３２】
第１流れ規制体４８は、図２に示すように、回動軸部５０と一体に回動可能であり、装置本体２４の外部に設けられる操作部５４を更に備える。操作部５４は、堰部５２の吐出通路３２内での位置調整のため、装置本体２４の外部から手動で操作されるつまみとして設けられる。
【００３３】
第１流れ規制体４８Ａは、回動軸部５０の回動により、吐出通路３２の側壁面３２ａに堰部５２が当たる初期位置に移動可能である。第１流れ規制体４８Ｂは、回動軸部５０の回動により、吐出通路３２の奥壁面３２ｂに堰部５２が当たる初期位置に移動可能である。何れの第１流れ規制体４８Ａ、Ｂも、堰部５２が初期位置にあるとき、吐出通路３２の奥側から吐出口３０に向かう水流の流れが堰部５２により規制されない。
【００３４】
絞り通路３４と貯溜通路３６の間には段部として境界部３５が形成され、境界部３５には横幅方向の両端部に切欠部３７が形成される。切欠部３７は第１流れ規制体４８Ａの先端部の回動軌跡に沿うように切り欠いて形成され、第１流れ規制体４８Ａは、その先端部が切欠部３７の内側を通るように回動する。
【００３５】
以上の吐水装置１０の使用方法を説明する。
図５（ａ）は第１流れ規制体４８Ａ、Ｂのそれぞれが初期位置にある初期状態を示す。このとき、吐出口３０から膜状水Ｗ２が吐き出される吐出範囲は、吐出口３０の横幅寸法と同寸法になる。
【００３６】
図５（ｂ）は、第１流れ規制体４８Ａの堰部５２を初期位置からある程度移動させ、第１流れ規制体４８Ｂを初期位置に保持した状態を示す。
このとき、第１流れ規制体４８Ａの堰部５２は吐出口３０側に向かうにつれて横幅方向Ｘ内側に向かうように延在する。吐出通路３２の奥側から吐出口３０に向かう水流の一部は、第１流れ規制体Ａの堰部５２に沿うように流れが規制される。この水流は、その勢いをもったまま吐出口３０まで流れ、膜状水Ｗ２として吐き出される。この吐出口３０から膜状水Ｗ２が吐き出される吐出範囲は、初期状態と比べて横幅方向Ｘに小さくなる。
【００３７】
また、吐出通路３２内の水流の両側部には、第１流れ規制体４８Ａの堰部５２に沿って流れることで、横幅方向Ｘ内側に向かう速度成分が含まれる。吐出口３０から吐き出される膜状水Ｗ２にもこの速度成分が含まれるため、膜状水Ｗ２の両側部Ｗ２ａの形状は、初期状態での膜状水Ｗ２と比べて、水流方向下流側に向かうにつれて大きくすぼめられる。
【００３８】
図５（ｃ）は、第１流れ規制体４８Ａを初期位置に保持し、複数の第１流れ規制体４８Ｂを初期位置からある程度移動させた状態を示す。
このとき、吐出通路３２は、第１流れ規制体４８Ｂの堰部５２によって、複数の通水領域５５と、通水規制領域５６とに区画される。通水領域５５は、各流入路４６の出口４６ａに対応して設けられ、対応する出口４６ａを含む領域として区画される。通水規制領域５６は、横幅方向Ｘに隣り合う第１流れ規制体４８Ｂの堰部５２間に区画される。
【００３９】
通水領域５５では、対応する流入路４６の出口４６ａから水が流入し、吐出口３０に向けて水が流れる。通水規制領域５６では、流入路４６の出口４６ａから水が流入しても、その内側に水流が到達し難くなり、通水規制領域５６から吐出口３０に向けて水が流れなくなる。この結果、横幅方向Ｘに間隔を空けた別々の通水領域５５から吐出口３０に向けて別々の水流が導かれ、吐出口３０の横幅方向Ｘの複数箇所から膜状水Ｗ２が吐き出される。このとき、膜状水Ｗ２の吐出範囲は、初期状態と比べて横幅方向Ｘに小さくなる。
【００４０】
以上のように、第１流れ規制体４８Ａ、Ｂは、吐出通路３２内の水流の流れを規制することで、膜状水Ｗ２の吐出範囲を横幅方向Ｘに調整可能な吐出範囲調整構造６０を構成する。
【００４１】
なお、膜状水Ｗ２の吐出範囲を調整するうえでは、堰部５２の位置調整により、流入路４６の出口４６ａから吐出口３０に最短距離で向かう方向Ｐ１に対する堰部５２の傾きを調整してもよい。たとえば、図５（ｂ）に示す例において、方向Ｐ１に対する堰部５２の傾きθ１を大きくすると、膜状水Ｗ２の吐出範囲が横幅方向Ｘに小さくなるように調整される。一方、傾きθ１を小さくすると、膜状水Ｗ２の吐出範囲が横幅方向Ｘに大きくなるように調整される。
【００４２】
以上の吐水装置１０によれば、吐出範囲調整構造６０により膜状水Ｗ２の吐出範囲を横幅方向Ｘに調整できるため、ユーザの気分に合わせて膜状水Ｗ２の形状を多彩に調整できる。
【００４３】
また、吐出口３０から吐き出される膜状水Ｗ２の吐出範囲の調整により、膜状水Ｗ２の形状を調整できるため、膜状水Ｗ２の形状を調整するうえで複数の吐出口が必要とならない。よって、膜状水の形状を調整するうえで必要な吐出口の数を抑えられる。
【００４４】
また、吐出範囲調整構造６０は膜状水Ｗ２の吐出範囲を横幅方向Ｘに調整可能である。よって、たとえば、ユーザの肩幅寸法より膜状水Ｗ２の吐出範囲が横幅方向Ｘに小さくなるように調整すれば、膜状水Ｗ２の全部がユーザＵの背中に当たり易くなり、ユーザＵの両横側を通って浴槽水Ｗ１に着水し難くなる。これにより、膜状水Ｗ２が浴槽水Ｗ１に着水したときの着水音、飛沫が生じ難くなり、ユーザに快適な使用感を与え易くなる。
【００４５】
また、吐出範囲調整構造６０は、図５（ａ）、（ｂ）に示すような単数の膜状水Ｗ２を吐き出す吐水パターンと、図５（ｃ）に示すような複数の膜状水Ｗ２を吐き出す吐水パターンとに膜状水Ｗ２の吐出範囲を調整可能である。図５（ａ）、（ｂ）に示す吐水パターンのときは、ユーザＵの肩の横幅方向Ｘでの広い範囲に膜状水Ｗ２が当たるように利用し、図５（ｃ）に示す吐水パターンのときは、ユーザの首を避けて両肩に当たるように利用できる。よって、ユーザの気分や温まり状態に合わせて膜状水Ｗ２の吐水パターンを多彩に調整できる。
【００４６】
また、吐出範囲調整構造６０は、第１流れ規制体４８によって、膜状水Ｗ２の側部Ｗ２ａの形状も調整可能である。よって、ユーザの気分に合わせて更に多彩な膜状水Ｗ２の形状に調整できる。
【００４７】
また、装置本体２４は浴槽１４の上面部２２上に取り付けられるため、上面部２２から上側に離れた位置に設置するよりも、浴槽１４と一体感のある外観にし易くなる。また、ポンプ２５からの高さを抑えられるため、駆動力の小さいポンプ２５を利用できる。
【００４８】
なお、第１実施形態に特有の作用効果として、第１流れ規制体４８は、水流の流れを規制する堰部５２が回動軸部５０により回動可能であるため、回動量の調整により、膜状水Ｗ２の吐出範囲を調整可能な点がある。また、回動量の調整により、吐出口３０側に向かう水流の邪魔とならない初期位置まで位置調整可能な点もある。
【００４９】
［第２の実施の形態］
図６は第２実施形態に係る吐水装置１０の側面断面図であり、図７（ａ）は吐水装置１０の平面図であり、図７（ｂ）は吐水装置１０の正面図である。
本実施形態に係る吐水装置１０は、第１実施形態の第１流れ規制体４８の代わりに装置本体２４に取り付けられる塞ぎ部材として第２流れ規制体６２を備える。第２流れ規制体６２は、装置本体２４の前側に配置される基部６４と、基部６４の下部から後方に向けて延びる差込部６６と、基部６４の上部から後方に向けて延びる挟み部６８とを有する。第２流れ規制体６２は、差込部６６等の各部位がゴム等の弾性材により一体成形される。
【００５０】
基部６４は、装置本体２４の前部との係合により、装置本体２４の前後方向に第２流れ規制体６２の位置を決める。差込部６６は、吐出口３０から導水路２８の絞り通路３４内に抜き差し可能に差し込まれ、吐出口３０の横幅方向の一部の範囲で吐出口３０とともに絞り通路３４を塞ぐ。挟み部６８は、差込部６６との間に装置本体２４を挟むようにその上側に配置される。
【００５１】
挟み部６８には、装置本体２４に面する下面に係合部７０が設けられる。係合部７０は装置本体２４の横幅方向Ｘに沿って延びる突条である。装置本体２４には、挟み部６８の係合部７０と対向する上面に被係合部７２が設けられる。被係合部７２は、装置本体２４の横幅方向Ｘに沿って延びる溝である。第２流れ規制体６２の係合部７０は装置本体２４の被係合部７２に嵌め合わされる。このとき、第２流れ規制体６２は、係合部７０と被係合部７２の前後方向Ｙでの係合により、装置本体２４に対する前後方向Ｙでの位置が保持される。
【００５２】
第２流れ規制体６２の係合部７０が突条であり、被係合部７２が溝であるため、第２流れ規制体６２は被係合部７２が延びる横幅方向Ｘに沿ってスライド可能に設けられる。第２流れ規制体６２のスライドにより、差込部６６が絞り通路３４内にて横幅方向Ｘに位置調整可能に設けられる。
【００５３】
以上の吐水装置１０の使用方法を説明する。
図８（ａ）は第２流れ規制体６２の差込部６６を吐出口３０に差し込まない初期状態を示す。このとき、膜状水Ｗ２の吐出範囲は、吐出口３０の横幅寸法と同寸法になる。
【００５４】
図８（ｂ）は、第２流れ規制体６２の差込部６６を吐出口３０の横幅方向Ｘ中間部に差し込んだ状態を示す。このとき、絞り通路３４の横幅方向Ｘ中間部が差込部６６により塞がれ、その両横側にて絞り通路３４が開かれる。上流側から吐出通路３２に導水されると、吐出口３０に向かう水流の流れが差込部６６により規制され、吐出通路３２の開かれた箇所に水流が導かれる。この結果、吐出口３０の横幅方向Ｘの複数箇所から膜状水Ｗ２が吐き出される。膜状水Ｗ２の吐出範囲は、初期状態と比べて横幅方向Ｘに小さくなる。
【００５５】
図８（ｃ）は複数の第２流れ規制体６２の差込部６６を装置本体２４の吐出口３０の横幅方向Ｘ両端部に差し込んだ状態を示す。
このとき、絞り通路３４の横幅方向Ｘ両端部が差込部６６により塞がれ、複数の差込部６６の間で絞り通路３４が開かれる。上流側から吐出通路３２に導水されると、吐出口３０に向かう水流の流れが差込部６６により規制され、絞り通路３４の開かれた箇所に水流が導かれる。この結果、吐出口３０の横幅方向Ｘ中間部から膜状水Ｗ２が吐き出される。膜状水Ｗ２の吐出範囲は、初期状態と比べて横幅方向Ｘに小さくなる。
【００５６】
以上のように、第２流れ規制体６２は、吐出通路３２内の水流の流れを規制することで、膜状水Ｗ２の吐出範囲を横幅方向Ｘに調整可能な吐出範囲調整構造６０を構成する。
【００５７】
以上の吐水装置１０によっても、第１実施形態と同様の作用効果を得られる。
【００５８】
また、膜状水Ｗ２の吐出範囲を調整するうえで、吐出口３０から第２流れ規制体６２の差込部６６を差し込むだけでよいため、ユーザが簡単に膜状水Ｗ２の形状を調整できる。また、第２流れ規制体６２の差込部６６を差し込んだ箇所からは膜状水Ｗ２が吐き出されないため、膜状水Ｗ２の吐出範囲を調整するうえでユーザが直感的に使い易い。
【００５９】
また、第２流れ規制体６２は係合部７０と被係合部７２の係合により、装置本体２４に対する位置を保持可能であるため、吐出口３０から抜き出す方向に差込部６６に水圧が作用した場合でも、第２流れ規制体６２の位置を保持し易くなる。また、第２流れ規制体６２は吐出口３０の横幅方向にスライド可能であるため、差込部６６を差し込んだまま、第２流れ規制体６２をスライドさせるだけで簡単に膜状水Ｗ２の吐出範囲を調整できる。
【００６０】
［第３の実施の形態］
図９は第３実施形態に係る吐水装置１０を示す側面断面図である。
本実施形態の吐水装置１０は、第１実施形態の第１流れ規制体４８の代わりに装置本体２４に取り付けられる変位部材として第３流れ規制体７４を備える。
【００６１】
図１０（ａ）は第３流れ規制体７４を拡大した側面断面図であり、図１１は吐水装置１０の平面図である。
第３流れ規制体７４は、絞り通路３４の上側に形成される収容孔７６内に配置される。収容孔７６は横幅方向Ｘに沿って延びるように形成される。収容孔７６には絞り通路３４から高さ方向Ｚに離れた位置に孔底面７８が設けられる。装置本体２４には、収容孔７６の孔底面７８に開口し、高さ方向に貫通する貫通孔８０が形成される。貫通孔８０は段部を有する段付孔であり、横幅方向Ｘに間隔を空けて複数設けられる。
【００６２】
第３流れ規制体７４は、収容孔７６を塞ぐように配置される変位部８２と、収容孔７６の絞り通路３４とは反対側にて貫通孔８０内に配置される変位量調整部８４と、を備える。変位部８２は板状の弾性部材により構成され、収容孔７６の孔底面７８に接着等により取り付けられる。変位部８２の表面８２ａは絞り通路３４の壁面を画定する。
【００６３】
変位量調整部８４は、変位部８２とは別体に設けられる。変位量調整部８４は、貫通孔８０に挿通される軸部８６と、軸部８６に対して絞り通路３４側の先端部に設けられる押圧部８８と、軸部８６の基端側に設けられる操作部５４と、を有する。軸部８６には雄ねじ部８８ａが形成され、貫通孔８０の小内径部には雄ねじ部８６ａが螺合される雌ねじ部８０ａが形成される。操作部５４は装置本体２４の外部に設けられる。操作部５４は、装置本体２４の外部から手動で操作されるつまみとして設けられる。
【００６４】
操作部５４の操作により軸部８６を一方向に回転させると、雄ねじ部８８ａと雌ねじ部８０ａの螺合により軸部８６が絞り通路３４に近づく方向に挿入される。軸部８６の挿入量が増大すると、押圧部８８が変位部８２の背面に当たって押圧し、変位部８２が絞り通路３４を狭める方向に変位する。このとき変位部８２には絞り通路３４を広げる方向に弾性反発力による付勢力が作用し、押圧部８８はこの付勢力に抗して変位部８２を押圧する。変位部８２の狭める方向への変位量が増大すると、図１０（ｂ）に示すように、横幅方向の一部の範囲で絞り通路３４が塞がれる。
【００６５】
操作部５４の操作により軸部８６を逆方向に回転させると、軸部８６の挿入量が減少し、変位部８２が付勢力により絞り通路３４を広げる方向に変位し、絞り通路３４を塞いだ箇所が開かれる。このように第３流れ規制体７４は、変位部８２を広げる方向に付勢可能に構成される。
【００６６】
以上の吐水装置１０の使用方法を説明する。
図１２（ａ）は各第３流れ規制体７４の変位部８２が絞り通路３４を開く初期位置にある初期状態を示す。膜状水Ｗ２の吐出範囲は、吐出口３０の横幅寸法と同寸法になる。
【００６７】
図１２（ｂ）は、吐出通路３２の横幅方向Ｘ中間部に配置される複数の第３流れ規制体７４について、変位部８２を変位させて絞り通路３４の一部を塞いだ状態を示す。本図では絞り通路３４を塞いだ範囲を一点鎖線Ｓ１で示す。このとき、第３流れ規制体７４の変位部８２により塞がれた箇所の横幅方向Ｘ両横側にて絞り通路３４が開かれる。上流側から吐出通路３２に導水されると、吐出口３０に向かう水流の流れが変位部８２により規制され、吐出通路３２の開かれた箇所に水流が導かれる。この結果、吐出口３０の横幅方向Ｘの複数箇所から膜状水Ｗ２が吐き出される。膜状水Ｗ２の吐出範囲は、初期状態と比べて横幅方向Ｘに小さくなる。
【００６８】
図１２（ｃ）は、吐出通路３２の横幅方向Ｘ両端部に配置される複数の第３流れ規制体７４について、変位部８２を変位させて絞り通路３４の一部を塞いだ状態を示す。
このとき、第３流れ規制体７４の変位部８２により塞がれた箇所の間にて絞り通路３４が開かれる。上流側から吐出通路３２に導水されると、絞り通路３４内での水流の流れが変位部８２により規制され、絞り通路３４の開かれた箇所に水流が導かれる。この結果、吐出口３０の横幅方向Ｘ中間部から単数の膜状水Ｗ２が吐き出される。膜状水Ｗ２の吐出範囲は、初期状態と比べて横幅方向Ｘに小さくなる。
【００６９】
以上のように、第３流れ規制体７４は、吐出通路３２内の水流の流れを規制することで、膜状水Ｗ２の吐出範囲を横幅方向Ｘに調整可能な吐出範囲調整構造６０を構成する。
【００７０】
以上の吐水装置１０によっても、第１実施形態と同様の作用効果を得られる。
【００７１】
また、第３流れ規制体７４は、変位部８２の表面８２ａを絞り通路３４の高さを狭める方向に変位可能であるため、絞り通路３４を塞がずに高さを狭めることで、その下流側の吐出口３０から吐き出される膜状水Ｗ２の流速を高められ、その流速も調整できる。よって、ユーザの気分に合わせて膜状水Ｗ２の流速も調整可能となる。
【００７２】
［第４の実施の形態］
図１３（ａ）は第４実施形態に係る吐水装置１０の内部構造を示す平面図であり、図１３（ｂ）は吐水装置１０の正面図である。本実施形態の吐水装置１０は、第１実施形態と比べて、吐出範囲調整構造６０の構成が異なる。
【００７３】
吐出範囲調整構造６０は、吐出通路３２内を下流側から上流側に向かう途中箇所で分岐させる複数の区画部材９０を有する。吐出通路３２は、複数の区画部材９０により、貯溜通路３６内が横幅方向の複数の区画室９２に区画される。各区画室９２には流入路４６の出口４６ａが対応して設けられる。互いに対応する区画室９２と流入路４６は連通しており、これらにより分岐通路９４が構成される。複数の分岐通路９４は、装置本体２４の導水路２８の一部を構成し、導水路２８の上流側から下流側に向かう途中箇所で分岐して設けられる。以下、複数の分岐通路９４について、横幅方向Ｘの両端位置に配置されるものと、中間位置に配置されるものとは、それぞれの符号の末尾に「Ａ」「Ｂ」を付して区別する。
【００７４】
吐出範囲調整構造６０は、複数の分岐通路９４のそれぞれに対応して設けられる複数の開閉弁９６を有する。開閉弁９６は各流入部４２の先端部に取り付けられ、その内部に分岐通路９４の一部が設けられる。開閉弁９６は電磁弁であり、図示しない制御部によりモータ（図示せず）が制御されることで、各分岐通路９４を開閉する。開閉弁９６が分岐通路９４を閉じたとき、導水路２８の一部である分岐通路９４の水流の流れが規制される。以下、複数の開閉弁９６について、横幅方向Ｘの両端位置に配置されるものと、中間位置に配置されるものとは、それぞれ符号の末尾に「Ａ」「Ｂ」を付して区別する。
【００７５】
以上の吐水装置１０の使用方法を説明する。
図１４（ａ）は全ての開閉弁９６Ａ、９６Ｂが開いた状態にある初期状態を示す。このとき、膜状水Ｗ２の吐出範囲は、吐出口３０の横幅寸法と同寸法になる。
【００７６】
図１４（ｂ）は、開閉弁９６Ａを開き、開閉弁９６Ｂを閉じた状態を示す。
このとき、各分岐通路９４Ａには水が流入し、各分岐通路９４Ａの貯溜通路３６から吐出口３０に向けて水が流れようとする。また、分岐通路９４Ｂには水が流入せず、分岐通路９４Ｂの貯溜通路３６から吐出口３０に向けて水が流れなくなる。この結果、横幅方向Ｘに間隔を空けた別々の分岐通路９４Ａから吐出口３０に向けて別々の水流が導かれ、吐出口３０の横幅方向Ｘの複数箇所から膜状水Ｗ２が吐き出される。膜状水Ｗ２の吐出範囲は、初期状態と比べて横幅方向Ｘ２に小さくなる。
【００７７】
図１４（ｃ）は、開閉弁９６Ａを閉じ、開閉弁９６Ｂを開いた状態を示す。
このとき、各分岐通路９４Ａには水が流入せず、各分岐通路９４Ａの貯溜通路３６から吐出口３０に向けて水が流れなくなる。また、分岐通路９４Ｂには水が流入し、分岐通路９４Ｂの貯溜通路３６から吐出口３０に向けて水が流れようとする。この結果、分岐通路９４Ｂから吐出口３０に向けて水流が導かれ、吐出口３０から膜状水Ｗ２が吐き出される。膜状水Ｗ２の吐出範囲は、初期状態と比べて横幅方向Ｘ２に小さくなる。
【００７８】
以上のように、開閉弁９６は、分岐通路９４内の水流の流れを規制することで、膜状水Ｗ２の吐出範囲を横幅方向Ｘに調整可能な吐出範囲調整構造６０を構成する。
【００７９】
以上の吐水装置１０によっても、第１実施形態と同様の作用効果を得られる。
【００８０】
［第５の実施の形態］
図１５は第５実施形態に係る吐水装置１０を概略的に示す平面図である。
第１実施形態では、吐出範囲調整構造６０を構成する第１流れ規制体４８について、操作部５４を手動で操作することにより、膜状水Ｗ２の形状を調整する例を説明した。本実施形態の吐水装置１０は、吐出範囲調整構造６０の第１流れ規制体４８を駆動するモータ９８（本図では図示せず）を更に備える。モータ９８は第１流れ規制体４８の回動軸部５０を駆動して堰部５２を位置調整することで、膜状水Ｗ２の吐出範囲を横幅方向Ｘに調整する。
【００８１】
また、吐水装置１０は、膜状水Ｗ２の吐き出し先にいるユーザＵの体格寸法を検出するセンサ１００を更に備える。センサ１００は画像センサである。センサ１００は、装置本体２４に取り付けられ、膜状水Ｗ２の吐き出し先を含む空間を撮像するカメラ１０２を有する。本図ではカメラ１０２の撮像範囲を部分的に一点鎖線Ｓ２で示す。センサ１００は、撮像して取得した動画像を画像処理することにより、ユーザＵの体格寸法を検出する。この体格寸法には、ユーザの肩幅寸法Ｌ１と首幅寸法が含まれる。ユーザＵは検出した体格寸法を後述する吐出範囲制御部１０４に出力する。
【００８２】
図１６は吐水装置１０の制御系に関する機能ブロック図である。各ブロックは、ハードウェア的には、コンピュータのＣＰＵやメモリをはじめとする素子や回路で実現され、ソフトウェア的にはコンピュータプログラム等により実現される。ここでは、それらの連携により実現される機能ブロックを示す。これらの機能ブロックは、ハードウェア、ソフトウェアの組合せにより様々な態様で実現できる。以降の機能ブロック図も同様である。
【００８３】
吐水装置１０は、モータ９８、センサ１００の他に、吐出範囲制御部１０４を備える。吐出範囲制御部１０４は、センサ１００の検出結果に応じて、モータ９８を制御する。詳細には、吐出範囲制御部１０４は、図１７に示すように、モータ９８の制御により、第１流れ規制体４８の堰部５２を位置調整し、センサ１００が検出したユーザの肩幅寸法より膜状水Ｗ２の吐出範囲が横幅方向Ｘに小さくなるように調整する。これにより、膜状水Ｗ２の全部がユーザＵの肩に当たり易くなり、ユーザＵの両横側を通って浴槽水Ｗ１に着水し難くなる。また、膜状水Ｗ２が浴槽水Ｗ１に着水したときの着水音、飛沫が生じ難くなり、ユーザに快適な使用感を与え易くなる。
【００８４】
この他にも、吐出範囲制御部１０４は、モータ９８の制御により、センサ１００が検出したユーザの首幅寸法より膜状水Ｗ２の横幅寸法が小さくなるように調整してもよい。この場合、膜状水Ｗ２がユーザの首のみに当たるように調整できる。
【００８５】
また、この他にも、吐出範囲制御部１０４は、膜状水Ｗ２の吐出範囲を調整するうえで、複数箇所から膜状水Ｗ２が吐き出されるようにし、複数の膜状水Ｗ２の間隔について、センサ１００が検出したユーザの首幅寸法より広くなるようにしてもよい。この場合、複数の膜状水Ｗ２の間にユーザが首を配置することで、膜状水Ｗ２がユーザの両肩のみに当たるように調整できる。
【００８６】
このとき、吐出範囲制御部１０４は、複数の膜状水Ｗ２全体の横幅寸法について、センサ１００が検出したユーザの肩幅寸法より小さくなるようにして、膜状水Ｗ２が浴槽水に着水し難くなるようにしてもよい。
【００８７】
本実施形態に係る吐水装置１０では、モータ９８を制御する吐出範囲制御部１０４を備えるため、ユーザの体格に応じて膜状水の形状を自動で調整できる。
【００８８】
［第６の実施の形態］
吐出範囲調整構造６０により膜状水Ｗ２の吐出範囲を横幅方向Ｘに調整した場合、その調整の前後で膜状水Ｗ２の流速が変化する。たとえば、膜状水Ｗ２の吐出範囲が横幅方向Ｘに減少した場合、導水路２８内で水流が通る箇所の通路断面積が減少するため、膜状水Ｗ２の流速が増大し、ユーザＵに対する膜状水Ｗ２の肌当たりが強くなる。以下の実施形態では、このような問題を改善する吐水装置１０を説明する。
【００８９】
図１８は第６実施形態に係る吐水装置１０の制御系に関する機能ブロック図である。
吐水装置１０は、第１実施形態と比べて、吐出範囲検出部１０６と、ポンプ制御部１０８とを更に備える。
【００９０】
図１９は吐水装置１０の平面図である。
吐出範囲検出部１０６は、絞り通路３４内に横幅方向Ｘに複数設置される光電センサ１１０を有する。本図では説明の便宜のため光電センサ１１０に斜線を付して示す。複数の光電センサ１１０は、絞り通路３４内にて高さ方向Ｚに光源から検出光を投光し、投光経路に水が存在しているか否かを検知する。吐出範囲検出部１０６は、複数の光電センサ１１０により水が存在していると検知されている範囲を膜状水Ｗ２の吐出範囲として検出する。図１８に戻り、吐出範囲検出部１０６は検出した膜状水Ｗ２の吐出範囲をポンプ制御部１０８に出力する。
【００９１】
ポンプ制御部１０８は、ポンプ２５を駆動するモータの回転数の制御により、ポンプ２５の出力を制御する。ポンプ制御部１０８は、吐出範囲検出部１０６の検出結果に応じて、ポンプ２５の出力を制御する。詳細には、ポンプ制御部１０８は、膜状水Ｗ２の吐出範囲が横幅方向Ｘに変化したとき、予め定められた膜状水Ｗ２の流速に近づくように、ポンプ２５の出力を制御する。上述の通り、膜状水Ｗ２の吐出範囲が横幅方向Ｘに変化した場合、膜状水Ｗ２の流速が変化する。ここで、膜状水Ｗ２の吐出範囲を一定とした場合、膜状水Ｗ２の流速は、ポンプ２５の出力、つまり、ポンプ２５からの送水量に応じて変化する。よって、膜状水Ｗ２の横幅方向Ｘの吐出範囲と、膜状水Ｗ２の流速と、ポンプ２５の出力の関係が予め求められていれば、膜状水Ｗ２の吐出範囲の検出値を用いて、ポンプ２５の出力を制御することにより、所望の膜状水Ｗ２の流速となるように調整できる。
【００９２】
そこで、ポンプ制御部１０８は、膜状水Ｗ２の横幅方向Ｘの吐出範囲と、膜状水Ｗ２の流速との組み合わせに対して、ポンプ２５の出力が一意に定められたマップを保持している。このマップは試験、解析等により予め求められる。ポンプ制御部１０８は、吐出範囲検出部１０６が検出した膜状水Ｗ２の吐出範囲と、予め設定された膜状水Ｗ２の流速とに基づき、マップを参照してポンプ２５の出力を求める。ポンプ制御部１０８は、求めたポンプ２５の出力を目標値として、ポンプ２５の出力が目標値に近づくように制御する。これにより、ポンプ制御部１０８は、膜状水Ｗ２の吐出範囲が横幅方向Ｘに変化したときでも、予め定められた膜状水Ｗ２の流速に近づくように、ポンプ２５の出力を制御できる。よって、膜状水Ｗ２の吐出範囲が変化した場合でも、ユーザに対する膜状水Ｗ２の肌当たりの変化を抑えやすくなる。
【００９３】
以上の吐水装置１０によれば、膜状水Ｗ２の吐出範囲に応じて、膜状水Ｗ２の流速を調整できる。
【００９４】
以上、実施の形態に基づき本発明を説明したが、実施の形態は、本発明の原理、応用を示すにすぎない。また、実施の形態には、請求の範囲に規定された本発明の思想を逸脱しない範囲において、多くの変形例や配置の変更が可能である。
【００９５】
吐出範囲調整構造６０は、膜状水Ｗ２の吐出範囲を横幅方向Ｘに調整できればよく、その構造の詳細は、上述の例に限られない。また、流れ規制体は、水流の流れを規制することにより、膜状水Ｗ２の吐出範囲を横幅方向Ｘに調整できればよく、その取り付け位置は導水路２８であればよい。
【００９６】
第１〜第４実施形態の吐出範囲調整構造６０は、第１流れ規制体４８、第２流れ規制体６２、第３流れ規制体７４又は開閉弁９６の何れか一種を個別に備える構成とされたが、何れか二種以上を備えてもよい。
【００９７】
また、第１〜第３実施形態の吐出範囲調整構造６０では、各流れ規制体４８、６２、７４を手動で操作することにより膜状水Ｗ２の吐出範囲を調整する例を説明したが、モータ等の駆動源を用いて自動で調整するようにしてもよい。この場合、第２実施形態の第２流れ規制体６２は、吐出口３０から導水路２８内への差込部６６の差し込みを手動で行い、駆動源を用いて横幅方向にスライドされるように駆動してもよい。また、第４実施形態の開閉弁９６は電磁弁を説明したが、手動操作弁でもよい。
【００９８】
第１実施形態の吐出範囲調整構造６０は、第１流れ規制体４８が回動するとき、他の第１流れ規制体４８を連動して回動させるための動力伝達機構を備えてもよい。動力伝達機構は、たとえば、横幅方向Ｘに隣り合う複数の第１流れ規制体４８にて回動軸部５０の外周面に形成される歯部により構成される。横幅方向Ｘに隣り合う回動軸部５０の歯部は互いに噛み合い、一方が回動したときに他方が連動して回動する。
【００９９】
また、第２実施形態の第２流れ規制体６２を用いて膜状水Ｗ２の吐出範囲を調整するうえでは、差込部６６の横幅寸法の異なる複数の第２流れ規制体６２を予め準備しておいてもよい。この場合、複数の第２流れ規制体６２のなかから用いるものを変えることで、膜状水Ｗ２の吐出範囲を横幅方向Ｘに細かく調整できる。また、この他にも、差込部６６の側部の形状の異なる複数の第２流れ規制体６２を予め準備しておいてもよい。たとえば、図８の例では、流入路４６の出口４６ａから吐出口３０に最短距離で向かう方向Ｐ１に沿って差込部６６の側部が形成される場合を説明した。この他にも、差込部６６の側部が方向Ｐ１に対して傾斜するように形成されてもよい。この場合、差込部６６の側部に沿って水流が通ることで、膜状水Ｗ２の側部に横幅方向Ｘ内側に向かう速度成分を含めることができる。このとき、膜状水Ｗ２の両側部の形状は、初期状態での膜状水Ｗ２と比べて、水流方向下流側に向かうにつれて大きくすぼまるように調整される。
【０１００】
また、第２流れ規制体６２の形状は特に限られない。たとえば、挟み部６８は装置本体２４の上側に配置されたが、装置本体２４の下側に配置されてもよい。また、係合部７０は突条、つまり、凸部により構成され、被係合部７２は溝、つまり、凹部により構成される例を説明した。係合部７０は、被係合部７２との係合により、装置本体２４に対する第２流れ規制体６２の位置を保持可能であればよく、第２流れ規制体６２の係合部７０を凹部とし、装置本体２４の被係合部７２を凸部としてもよい。また、係合部７０と被係合部７２の両方を凸部としてもよい。
【０１０１】
第３実施形態の第３流れ規制体は、変位部８２が弾性部材により構成される例を説明したが、樹脂等の硬質材により構成されてもよい。また、変位部８２を付勢するうえでは変位部８２の背面にばね等の弾性体を取り付け、絞り通路３４を広げる方向に付勢力が作用するようにしてもよい。
【０１０２】
また、第４実施形態の吐出範囲調整構造６０を用いて膜状水Ｗ２の吐出範囲を更に細かく調整するうえでは、分岐通路９４の位置、数を調整してもよい。また、吐出通路３２に複数の分岐通路９４を設けるうえでは、吐出通路３２を区画部材９０により区画せずに、吐出通路３２に予め複数の分岐通路９４が設けられるように装置本体２４を形成してもよい。
【０１０３】
また、第５実施形態のセンサ１００や吐出範囲制御部１０４は、第１実施形態の吐出範囲調整構造６０と組み合わせて用いられたが、第２〜第４実施形態の吐出範囲調整構造６０と組み合わせて用いてもよい。
【０１０４】
また、第５実施形態のセンサ１００は、ユーザＵの体格寸法を検出できればよく、画像センサに限られない。センサ１００は、たとえば、浴槽１４に取り付けられる感圧センサでもよい。感圧センサは、浴槽１４の背側面１８にユーザが背中を当ててもたれたとき、その背中の当たる箇所に横幅方向Ｘに沿って感圧面が設けられてよい。この場合、感圧センサは、感圧面が感知した横幅方向の範囲をユーザの肩幅寸法として検出する。
【０１０５】
また、センサ１００は、たとえば、浴槽１４に取り付けられる近接センサでもよい。近接センサは、装置本体２４に横幅方向Ｘに複数設けられ、膜状水の吐き出し先に物体が存在しているか否かを検知してもよい。この場合、近接センサは、膜状水の吐き出し先に物体が存在していると検知した範囲を肩幅寸法として検出する。
【０１０６】
また、第６実施形態の吐出範囲検出部１０６やポンプ制御部１０８は、第１実施形態の吐出範囲調整構造６０と組み合わせて用いられたが、第２〜第４実施形態の吐出範囲調整構造６０と組み合わせて用いられてもよい。
【０１０７】
また、第６実施形態のポンプ制御部１０８は、ポンプ２５の出力を求めるうえでマップを参照したが、この他にも、予め定められた計算式に膜状水Ｗ２の吐出範囲と、膜状水Ｗ２の流速とを入力して、ポンプ２５の出力を求めてもよい。
【０１０８】
また、ポンプ２５の出力を制御するうえでは、ポンプを駆動するモータの回転数の他に、ポンプ２５が複数設置される場合はポンプ２５の運転台数を制御してもよい。この他に、ポンプ２５の下流側の送水路に流量制御弁が設置される場合は流量制御弁の弁開度を制御してもよい。
【符号の説明】
【０１０９】
Ｗ２  膜状水、  １０  吐水装置、  １２  浴槽装置、  １４  浴槽、  ２４  装置本体、  ２５  ポンプ、  ２８  導水路、  ３０  吐出口、  ３２  吐出通路、  ４８  第１流れ規制体，  ５０  回動軸部、  ５２  堰部、  ６０  吐出範囲調整構造、  ６２  第２規制体、  ７０  係合部、  ７２  被係合部、  ７４  第３規制体、  ８２  変位部、  ９４  分岐通路，  ９６  開閉弁，  ９８  モータ、  １００  センサ、  １０４  吐出範囲制御部、  １０６  吐出範囲検出部、  １０８  ポンプ制御部。
【図１】
0006339469.tif 000002
【図２】
0006339469.tif 000003
【図３】
0006339469.tif 000004
【図４】
0006339469.tif 000005
【図５】
0006339469.tif 000006
【図６】
0006339469.tif 000007
【図７】
0006339469.tif 000008
【図８】
0006339469.tif 000009
【図９】
0006339469.tif 000010
【図１０】
0006339469.tif 000011
【図１１】
0006339469.tif 000012
【図１２】
0006339469.tif 000013
【図１３】
0006339469.tif 000014
【図１４】
0006339469.tif 000015
【図１５】
0006339469.tif 000016
【図１６】
0006339469.tif 000017
【図１７】
0006339469.tif 000018
【図１８】
0006339469.tif 000019
【図１９】
0006339469.tif 000020